(57)【要約】【課題】壁下地に配線器具を取り付けるスペースを容易に確保することができる配線器具用取付台を提供することにある。【解決手段】配線器具用取付台１は、壁下地１１０の前面に取り付けられる板状の台部２を有し、台部２には、壁下地１１０の電線貫挿孔１１１に貫挿する電線が挿通される挿通孔２ａが形成されるとともに、台部２の前面に配線器具２００を取り付ける取付部が設けられ、台部２は、壁下地１１０の前面に垂直投影した外周形状が、台部２に取り付けた配線器具２００を壁下地の前面に垂直投影した外周形状を内側に含む形に形成される。【選択図】図１
2009178010.tif 000002
【特許請求の範囲】
【請求項１】
壁下地の前面に取り付けられる板状の台部を有し、
台部には、壁下地の電線貫挿孔に貫挿する電線が挿通される挿通孔が形成されるとともに、台部の前面に配線器具を取り付ける取付部が設けられ、
台部は、壁下地の前面に垂直投影した外周形状が、台部に取り付けた配線器具を壁下地の前面に垂直投影した外周形状を内側に含む形に形成されていることを特徴とする配線器具用取付台。
【請求項２】
上記配線器具は、器具本体と、器具本体に対して上記壁下地の前面の法線方向に交差する方向にスライドさせることで器具本体の前面側に結合されるカバーとを備えるものであって、
上記台部の厚みは、当該台部に取り付けた上記配線器具のカバーの後端面を、上記壁下地の前面に設けられた壁材の前端面を含む平面よりも前方に位置させる厚みであることを特徴とする請求項１記載の配線器具用取付台。
【請求項３】
上記台部の前面には、上記挿通孔に液体が入り込むことを防止するリブが突設されていることを特徴とする請求項１または２記載の配線器具用取付台。
【請求項４】
上記台部には、上記壁下地への取り付けに用いられる取付ねじのねじ部が挿通される取付孔が形成され、
上記台部の前面側における取付孔周辺には、取付ねじのねじ頭を収容する収容凹部が形成されていることを特徴とする請求項１〜３のうちいずれか１項記載の配線器具用取付台。
【請求項５】
上記取付部は、上記台部に取り付けた状態で上記壁下地の前面に垂直投影した外周形状が異なる配線器具を取り付け可能に構成され、
上記台部の前面には、当該前面の法線方向に交差する方向において配線器具に当接して、配線器具を上記取付部に対する規定位置に位置決めする位置決めリブが設けられていることを特徴とする請求項１〜４のうちいずれか１項記載の配線器具用取付台。
【請求項６】
上記台部は、板状の前端部と、前端部の後面中央部に突出形成された後端部とで構成され、
後端部の外周面は、前端部の後面に比べて、コーキング材が剥がれ易い面形状であることを特徴とする請求項１〜５のうちいずれか１項記載の配線器具用取付台。
【請求項７】
上記台部の前端部には、前端部の外周面が面一となるように他の配線器具用取付台の後端部を収容する収容凹所が設けられていることを特徴とする請求項６記載の配線器具用取付台。
【請求項８】
上記台部の後面と上記壁下地の前面との間に介在されるスペーサを具備していることを特徴とする請求項１〜７のうちいずれか１項記載の配線器具用取付台。
【請求項９】
上記台部は樹脂成形品からなり、
上記台部の前面には、ヒケ防止用の溝部と、当該溝部と上記台部の外部とを連通する連通路とが設けられ、
上記連通路の上記台部の外部への開口方向は、上記台部を上記壁下地に設置した状態で、水平方向又は水平方向より下向きであることを特徴とする請求項１〜８のうちいずれか１項記載の配線器具用取付台。
【発明の詳細な説明】
【技術分野】
【０００１】
本発明は、配線器具を壁に設置する際に使用される配線器具用取付台に関するものである。
【背景技術】
【０００２】
従来から、壁に設置される配線器具が提供されている。例えば特許文献１には、プラグが抜き差し自在に接続されるコンセント本体を内部に収納し外壁面に取り付けられるハウジングと、ハウジングの取付面と外壁面との間に介在してハウジング内への浸水を防ぐ防水パッキンとを備えた防水コンセントが開示されている。
【０００３】
特許文献１に示す防水コンセントは、家屋の外壁に設置される、いわゆる屋側配線器具であり、この種の配線器具としては、防水コンセントの他に、ＴＶ線や電話線などを屋内に引き込むための防雨入線カバーや、電力線を屋内に引き込むための防雨引込カバー、インターホンや庭園灯などの電力線、弱電線などを屋外に引き出するための防雨形ジョイントボックスなどがある。
【特許文献１】特開２００６−２４４７１９号公報
【発明の開示】
【発明が解決しようとする課題】
【０００４】
ところで、家屋などの壁１００は、図１２に示すように、合板や石膏ボード、コンクリートなどを用いて形成された壁下地１１０の表面（前面）に、壁材（外壁である場合には外壁材、内壁である場合には内壁材）１２０を設けることで構成される。なお、図示例における壁材１２０は矩形状のタイルであるが、壁材１２０としては、タイル以外に、サイディングボードや、モルタル、煉瓦（ブリック）、ＡＬＣパネルなど種々のものが提供されている。
【０００５】
上述した配線器具を壁１００に設置するにあたっては、壁１００の壁材１２０にねじ止めなどにより取り付ける方法や、壁１００に埋め込んだ埋込ボックス（図示せず）に取り付ける方法などが提案されている。
【０００６】
また、壁材１２０ではなく、壁下地１１０に配線器具を取り付ける方法も提案されている。この場合、壁下地１１０の所定部位に壁材１２０を設けないようにすることで、壁下地１１０に配線器具取り付けるためのスペースＳを確保する必要がある。このスペースＳには、ＴＶ線や電話線、電力線などの屋内への引き込みや、電力線や弱電線などの屋外への引き出しを行うために壁下地１１０に設けた電線貫挿孔１１１が形成される。
【０００７】
上記スペースＳの確保は、一般的には壁材１２０を貼り付ける業者が行うのであるが、実際には業者がスペースＳに配置する配線器具の外形サイズを知らずに、おおまかにスペースＳを決定することがある。そのため、スペースＳが配線器具の外形サイズに適合しないことがあり、例えばスペースＳが配線器具の外周形状より小さい（配線器具の外形サイズより狭い）ときには壁材１２０を削ったり、剥がしたりする必要が生じ、逆にスペースＳが配線器具の外周形状より大きい（配線器具の外形サイズより広い）ときには配線器具と壁材１２０との間の隙間が広くなって美観が悪くなるおそれがあった。また、このような隙間を埋めるための壁材１２０を設けることは非常に手間がかかり面倒であった。
【０００８】
本発明は上述の点に鑑みて為されたもので、その目的は、壁下地に配線器具を取り付けるスペースを容易に確保することができる配線器具用取付台を提供することにある。
【課題を解決するための手段】
【０００９】
上記の課題を解決するために、請求項１の発明では、壁下地の前面に取り付けられる板状の台部を有し、台部には、壁下地の電線貫挿孔に貫挿する電線が挿通される挿通孔が形成されるとともに、台部の前面に配線器具を取り付ける取付部が設けられ、台部は、壁下地の前面に垂直投影した外周形状が、台部に取り付けた配線器具を壁下地の前面に垂直投影した外周形状を内側に含む形に形成されていることを特徴とする。
【００１０】
請求項１の発明によれば、壁下地の前面に垂直投影した台部の外周形状が、台部に取り付けた配線器具を壁下地の前面に垂直投影した外周形状を内側に含む形に形成されているので、壁下地に壁材を設けるとき、あるいはその前に壁下地に配線器具用取付台を設置することにより、壁下地において壁材を設けない場所を明確にすることができるから、配線器具取り付け用のスペースを容易に確保することができる。
【００１１】
請求項２の発明では、請求項１の発明において、上記配線器具は、器具本体と、器具本体に対して上記壁下地の前面の法線方向に交差する方向にスライドさせることで器具本体の前面側に結合されるカバーとを備えるものであって、上記台部の厚みは、当該台部に取り付けた上記配線器具のカバーの後端面を、上記壁下地の前面に設けられた壁材の前端面を含む平面よりも前方に位置させる厚みであることを特徴とする。
【００１２】
請求項２の発明によれば、配線器具用取付台に配線器具を取り付ける際に、壁材が邪魔になることを防止できる。
【００１３】
請求項３の発明では、請求項１または２の発明において、上記台部の前面には、上記挿通孔に液体が入り込むことを防止するリブが突設されていることを特徴とする。
【００１４】
請求項３の発明によれば、挿通孔を通じて壁下地の電線貫挿孔に雨水などが浸入してしまうことを防止できる。
【００１５】
請求項４の発明では、請求項１〜３のうちいずれか１項の発明において、上記台部には、上記壁下地への取り付けに用いられる取付ねじのねじ部が挿通される取付孔が形成され、上記台部の前面側における取付孔周辺には、取付ねじのねじ頭を収容する収容凹部が形成されていることを特徴とする。
【００１６】
請求項４の発明によれば、取付ねじのねじ頭が突出しないから、配線器具の取り付けの際に取付ねじが邪魔になってしまうことを防止でき、また取付孔を埋めるためにコーキング材を塗布した場合でも、コーキング材が取付孔からはみ出して配線器具の取り付けの際に邪魔になってしまうことを防止できる。
【００１７】
請求項５の発明では、請求項１〜４のうちいずれか１項の発明において、上記取付部は、上記台部に取り付けた状態で上記壁下地の前面に垂直投影した外周形状が異なる配線器具を取り付け可能に構成され、上記台部の前面には、当該前面の法線方向に交差する方向において配線器具に当接して、配線器具を上記取付部に対する規定位置に位置決めする位置決めリブが設けられていることを特徴とする。
【００１８】
請求項５の発明によれば、台部に取り付けた状態で壁下地の前面に垂直投影した外周形状が異なる配線器具を取り付けることができ、汎用性を高めることができる。
【００１９】
請求項６の発明では、請求項１〜５のうちいずれか１項の発明において、上記台部は、板状の前端部と、前端部の後面中央部に突出形成された後端部とで構成され、後端部の外周面は、前端部の後面に比べて、コーキング材が剥がれ易い面形状であることを特徴とする。
【００２０】
請求項６の発明によれば、前端部と壁下地との間に隙間が形成されるから、この隙間をコーキング材充填用のスペースとして利用することができ、当該スペースにコーキング材を充填してコーキング部を形成することで、壁下地の電線貫挿孔から雨水などが浸入することを防止できて、防水性の向上が図れる。しかも、後端部の外周面は前端部の後面に比べてコーキング材が剥がれ易いから、コーキング部が経年劣化した（やせた）際にはコーキング部が台部の前端部の後面よりも先に後端部の外周面から剥れるから、コーキング部の経年劣化による防水性の悪化を抑制できる。
【００２１】
請求項７の発明では、請求項６の発明において、上記台部の前端部には、前端部の外周面が面一となるように他の配線器具用取付台の後端部を収容する収容凹所が設けられていることを特徴とする。
【００２２】
請求項７の発明によれば、複数の配線器具用取付台を重ねることができるので、配線器具用取付台を重ねることで配線器具の壁下地の前面から距離を変えることができるから、全体の厚みを壁材の厚みに応じた好適な値に設定できて、配線器具を見栄えよく設置できる。
【００２３】
請求項８の発明では、請求項１〜７のうちいずれか１項の発明において、上記台部の後面と上記壁下地の前面との間に介在されるスペーサを具備していることを特徴とする。
【００２４】
請求項８の発明によれば、スペーサを取り替えることで配線器具の壁下地の前面から距離を変えることができるから、全体の厚みを壁材の厚みに応じた好適な値に設定できて、配線器具を見栄え良く設置できる。
【００２５】
請求項９の発明では、請求項１〜８のうちいずれか１項の発明において、上記台部は樹脂成形品からなり、上記台部の前面には、ヒケ防止用の溝部と、当該溝部と上記台部の外部とを連通する連通路とが設けられ、上記連通路の上記台部の外部への開口方向は、上記台部を上記壁下地に設置した状態で、水平方向又は水平方向より下向きであることを特徴とする。
【００２６】
請求項９の発明によれば、台部にヒケが生じることを防止でき、しかもヒケ防止用の溝部を水などの流体を外部に排出するための通路として兼用するから、簡単な形状で台部の排水性を向上できる。
【発明の効果】
【００２７】
本発明は、壁下地に配線器具を取り付けるスペースを容易に確保することができるという効果を奏する。
【発明を実施するための最良の形態】
【００２８】
（実施形態１）
本実施形態の配線器具用取付台１は、図１（ａ），（ｂ）に示すように、配線器具２００を壁下地１１０に設置するために使用される。なお、以下の説明では、説明の簡略化のために、図１（ｂ）における左方を配線器具用取付台１の前方、図１（ｂ）における右方を配線器具用取付台１の後方、図１（ｂ）における上方を配線器具用取付台１の上方、図１（ｂ）における下方を配線器具用取付台１の下方とそれぞれ規定する。
【００２９】
まず配線器具２００について簡単に説明する。この配線器具２００は、いわゆる防水コンセントであり、プラグが抜き差し自在に接続されるコンセント本体２１０を収納したハウジング（器具本体）２２０を備える。コンセント本体２１０はプラグ受けをハウジング２２０の下面（図１（ｂ）における下面）から露出させた形でハウジング２２０に収納される。ハウジング２２０の後面（図１（ｂ）における右面）には、ハウジング２２０内に図示しない電線（壁下地１１０の電線貫挿孔１１１を貫挿した電線）を挿入するための開口２２１が形成される。開口２２１からハウジング２２０内に挿入された電線はコンセント本体２１０に接続される。また、ハウジング２２０には固定ねじ（図示せず）用の一対のねじ挿通孔２２２が形成される。上記固定ねじは配線器具２００を配線器具用取付台１に取り付けるために使用される。
【００３０】
ところで、ハウジング２２０の後面縁部には防水パッキン２３０が設けられる。防水パッキン２３０は、ハウジング２２０の後面縁部と、配線器具２００を取り付ける取付面（配線器具２００を壁下地１１０に取り付ける場合は壁下地１１０の前面、配線器具用取付台１に取り付ける場合は後述する器具取付面Ｐ）との隙間からハウジング２２０内に雨水などが浸入することを防止するために設けられる。また、ハウジング２２０にはねじ挿通孔２２２などを隠して配線器具２００の美観を向上させるためのカバー２４０が被着される。カバー２４０は後面および下面が開口された箱状に形成される。カバー２４０はハウジング２２０に対して壁下地１１０の前面の法線方向に交差する方向（本実施形態では上下方向）にスライドさせることで結合される。
【００３１】
以上述べた配線器具２００は、壁下地１１０に設置した状態で壁下地１１０に垂直投影した外周形状（外形サイズ）が長方形状のものであり、本実施形態では、縦方向（図１（ｂ）における上下方向）の寸法が１２６ｍｍ、横方向（図１（ｂ）における紙面の法線方向）の寸法が８７ｍｍの長方形状である。
【００３２】
次に本実施形態の配線器具取付台１について説明する。本実施形態の配線器具用取付台１は、壁下地１１０の前面（図１（ｂ）における左面）に取り付けられる板状（本実施形態では矩形板状）の台部２を有する。台部２は、図１〜図３に示すように、絶縁性を有する樹脂材料を用いて形成した樹脂成形品である。この台部２の厚みは、図４（ａ）に示すように、配線器具２００のカバー２４０の後端面２４１を、壁下地１１０の前面に設けられた壁材１２０の前端面１２１を含む平面よりも前方に位置させる厚みに設定される。なお、図４では電線貫挿孔１１１の図示を省略している。
【００３３】
台部２は、長方形の板状（矩形板状）の前端部２０と、前端部２０の後面中央部に突出形成された後端部２１とで構成される。台部２の前端部２０は壁下地１１０の前面に垂直投影した外周形状が、配線器具２００を壁下地１１０の前面に垂直投影した外周形状と同形状に形成される。つまり、台部２の前端部２０の外周形状は、配線器具２００と同じく、１２６ｍｍ（縦方向の寸法）×８７ｍｍ（横方向の寸法）の長方形状である。台部２では前端部２０の外周形状が後端部２１より大きいから、前端部２０の外周形状が配線器具用取付台１の外周形状となる。つまり、本実施形態の配線器具用取付台１は壁下地１１０の前面に垂直投影した外周形状が、配線器具２００を壁下地１１０の前面に垂直投影した外周形状と同形状に形成される。
【００３４】
また、前端部２０の前面中央部には長方形状の凹所２０ａが形成される。本実施形態の配線器具取付台１では、凹所２０ａの底面が前述した器具取付面（台部２の前面において配線器具２００の後面と当接する面）Ｐとなる。器具取付面Ｐの中央部には、図３に示すように、台部２（つまり前端部２０および後端部２１）を厚み方向に貫通する円形状（図示例では真円形状）の挿通孔２ａが開口している。挿通孔２ａは壁下地１１０の電線貫挿孔１１１に貫挿された上記電線を挿通するためのものであり、挿通孔２ａを挿通した上記電線は台部２に取り付けた配線器具２００に接続される。
【００３５】
このような台部２は複数本（図示例では４本）の取付ねじ（図示せず）を用いて壁下地１１０に取り付けられる。そのため、台部２の器具取付面Ｐの四隅部それぞれには上記取付ねじのねじ部（図示せず）が挿通される取付孔２ｂが形成される。台部２の上側の２つの取付孔２ｂは、台部２の幅方向（短手方向、図１（ａ）における左右方向）を長手方向とする長孔状に形成され、台部２の下側の２つの取付孔２ｂは、台部２の長さ方向（長手方向、図１（ａ）における上下方向）を長手方向とする長孔状に形成される。ところで、台部２の前面側における各取付孔２ｂの周辺（開口縁部）には収容凹部２ｃが形成される。この収容凹部２ｃは取付ねじのねじ頭（図示せず）を器具取付面Ｐから前方に突出せずに収容できる大きさに形成される。本実施形態では、収容凹部２ｃは器具取付面Ｐから深さ５ｍｍ程度の深さに形成される。
【００３６】
台部２の幅方向中央部には、一対の孔部２ｄが挿通孔２ａを挟んで相対する形に形成される（図示例では孔部２ｄは台部２の幅方向において取付孔２ｂ間の中間位置に位置する）。一対の孔部２ｄ間の間隔は配線器具２００の一対のねじ挿通孔２２２間の間隔と等しく設定される。孔部２ｄは、前端側が後端側より狭口で、かつ前端側と後端側とで開口形状が異なる形に形成される。各孔部２ｄ内には配線器具２００の取り付けに使用するナット（図示例では六角ナット）３が後端側から挿入され、これにより配線器具２００を台部２の前面側に取り付ける取付部が構成される。なお、孔部２ｄの後端側の内周形状はナット３を回動させずに台部２に固定可能な多角形状（図示例では正六角形状）に形成される。また、孔部２ｄの前端側の内周形状は円形状（図示例では真円形状）としている。
【００３７】
台部２の器具取付面Ｐには、流体（雨水など）が挿通孔２ａなど（挿通孔２ａ、４つの取付孔２ｂ、２つの孔部２ｄ）に浸入することを防止する防水用リブ２ｅが形成される。防水用リブ２ｅは、器具取付面Ｐにおいて挿通孔２ａと４つの取付孔２ｂと２つの孔部２ｄとが形成された領域を、台部２の上側および幅方向両側から囲む形（台部２の下側が開放された略コ字形）に形成される。防水用リブ２ｅは、配線器具２００を配線器具用取付台１に取り付けた際に配線器具２００の防水パッキン２３０の後面に形成した嵌合溝２３１と凹凸嵌合され、これによって防水性のさらなる向上を図っている。
【００３８】
台部２の後端部２１はその外周形状が上下方向を長手方向とする長方形状に形成される。後端部２１の後面の縁部には嵌合溝２ｆが周設され、嵌合溝２ｆには防水部４が嵌め込まれる。防水部４はゴムやエラストマなどの弾性（復元性）を有する樹脂材料などにより矩形枠状に形成される。この防水部４は台部２の後端部２１と壁下地１１０との隙間を埋めて、台部２の挿通孔２ａや壁下地１１０の電線貫挿孔１１１への雨水などの浸入を防止する。ところで、台部２の前端部２０と壁下地１１０との間にはコーキング材が充填されて（前端部２０の後面と後端部２１の外周面と壁下地１１０における台部２周辺を覆うようにコーキング材が塗布されて）、図５（ａ）に示すようなコーキング部３００が形成される。コーキング部３００は台部２と壁下地１１０との隙間を埋めて台部２の挿通孔２ａや壁下地１１０の電線貫挿孔１１１に雨水などが浸入することを防止するためのものである。ここで、台部２の後端部２１の外周面の面形状は、図５（ａ）に示すように複数の溝を形成してなる凹凸形状である（なお、図１（ｂ）、図２、図３（ｂ）、図４、図７〜図９では凹凸形状の図示を省略している）が、前端部２０の後面は平坦面としている。このようにすれば後端部２１の外周面は、前端部２０の後面に比べてコーキング材が剥がれ易くなる。そのため、コーキング部３００が経年変化した（やせた）際には、図５（ｂ）に示すように、コーキング部３００が台部２の前端部２０の後面よりも先に後端部２１の外周面から剥れることになる。なおコーキング部３００に使用するコーキング材としては従来周知のものを採用できる。また、後端部２１の外周面の面形状も上記の凹凸形状に限られず、例えば円形状の突起を複数突設した形状であってもよく、要するに使用するコーキング材が前端部２０の後面よりも剥れ易くなるような形状であればよい。
【００３９】
上述した本実施形態の配線器具用取付台１は、壁下地１１０に壁材１２０を取り付けるとき、あるいは取り付ける前に、壁下地１１０に設置される。配線器具用取付台１の設置は台部２の取付孔２ｂを通して上記取付ねじを壁下地１１０に螺着することで行なう。このようにして配線器具用取付台１を壁下地１１０に設置した後には、収容凹部２ｃ内、および前端部２０と壁下地１１０の前面との隙間それぞれにコーキング材が充填される。また壁下地１１０の前面には、配線器具用取付台１を囲うようにして壁材１２０が設置される。ここで、壁下地１１０の前面に垂直投影した台部２の外周形状は、台部２に取り付けた配線器具２００を壁下地１１０の前面に垂直投影した外周形状と同形状であるから、本実施形態の配線器具用取付台１を壁下地１１０に設置することによって配線器具２００取り付け用のスペースが壁下地１１０上に確保される。
【００４０】
そして、壁下地１１０に設置した配線器具用取付台１に配線器具２００を取り付けるにあたっては、配線器具２００のハウジング２２０を配線器具用取付台１の前面側に取り付けた後に、ハウジング２２０にカバー２４０を被着する。ハウジング２２０の配線器具用取付台１への取り付けは、ハウジング２２０のねじ挿通孔２２２を通して上記固定ねじを台部２の孔部２ｄ内のナット３に螺着することで行う。また、カバー２４０のハウジング２２０への取り付けは、カバー２４０をハウジング２２０に対して上下方向にスライド移動させることで行う。この場合において、台部２の厚みは、図４（ａ）に示すように、配線器具２００のカバー２４０の後端面２４１を、壁下地１１０の前面に設けられた壁材１２０の前端面１２１を含む平面よりも前方に位置させる厚みであるから、カバー２４０をスライド移動させる際に、図４（ｂ）に示すようにカバー２４０が壁材１２０と干渉して（壁材１２０が邪魔になって）、カバー２４０を結合することができなくなるおそれがない。
【００４１】
以上述べたように本実施形態の配線器具用取付台１によれば、壁下地１１０の前面に垂直投影した台部２の外周形状が、台部２に取り付けた配線器具２００を壁下地１１０の前面に垂直投影した外周形状と同形状であるので、壁下地１１０に壁材１２０を設けるとき、あるいはその前に壁下地１１０に配線器具用取付台１を設置することにより、壁下地１１０において壁材１２０を設けない場所を明確にすることができるから、配線器具２００取り付け用のスペースを容易に確保することができる。
【００４２】
また、台部２の厚みは、配線器具２００のカバー２４０の後端面２４１を壁下地１１０の前面に設けられた壁材１２０の前端面１２１を含む平面よりも前方に位置させる厚みであるから、配線器具用取付台１に配線器具２００を取り付ける際に、壁材１２０が邪魔になることを防止できる。なお、台部２の厚みは、台部２の前端面を壁下地１１０の前面に設けられた壁材１２０の前端面１２１を含む平面よりも前方に位置させる厚みとしてもよく、この場合においても同様に、配線器具２００の取り付け時に壁材１２０が邪魔になることを防止できる。
【００４３】
また、台部２の前面（器具取付面Ｐ）には防水用リブ２ｅが突設されているから、たとえ配線器具２００の防水パッキン２３０に不具合があって水などが浸入しても、防水用リブ２ｅによって挿通孔２ａに水が入り込むことを防止することができ、挿通孔２ａを通じて壁下地１１０の電線貫挿孔１１１に流体（雨水など）が浸入してしまうことを防止できる。また、台部２の前面側における取付孔２ｂ周辺には、上記取付ねじのねじ頭を収容する収容凹部２ｃが形成されているので、上記取付ねじのねじ頭が器具取付面Ｐから突出しないから、配線器具２００の取り付けの際に上記取付ねじが邪魔になってしまうことを防止でき、また取付孔２ｂを埋めるためにコーキング材を塗布した場合でも、コーキング材が取付孔２ｂからはみ出して配線器具２００の取り付けの際に邪魔になってしまうことを防止できる。
【００４４】
また、台部２は、板状の前端部２０と前端部２０の後面中央部に突出形成された後端部２１とで構成されているので、台部２を壁下地１１０に設置した際に図５（ａ）に示すように前端部２０と壁下地１１０との間に隙間が形成されるから、この隙間をコーキング材充填用のスペースとして利用することができ、当該スペースにコーキング材を充填してコーキング部３００を形成することで、壁下地１１０の電線貫挿孔１１１から雨水などが浸入することを防止できて、防水性の向上が図れる。しかも、後端部２１の外周面は前端部２０の後面に比べてコーキング材が剥がれ易いので、図５（ｂ）に示すようにコーキング部３００が経年劣化した（やせた）際にはコーキング部３００が台部２の前端部２０の後面よりも先に後端部２１の外周面から剥れることになる。そのため、コーキング部３００が経年劣化したときでも、コーキング部３００が台部２の後端部２１の外周面よりも先に前端部２０の後面あるいは壁下地１１０の前面から剥れることに起因する防水性の悪化を抑制できる。
【００４５】
ところで、台部２は樹脂成形品であるから、ヒケ（成形品外表面に発生する窪み）が生じるおそれがある。このようなヒケを防止するためには、図６に示すように台部２の前面にヒケ防止用の溝部２ｇを台部２の射出成形時に同時に形成すればよい。図示例では台部２の前面に一対の溝部２ｇが台部２の長さ方向（図６における上下方向）に沿って形成されている。また、一対の溝部２ｇは防水用リブ２ｅを挟み込む形に形成される。
【００４６】
このように台部２に溝部２ｇを形成すれば、台部２にヒケが生じることを防止できる。また、図６に示す台部２には、溝部２ｇと台部２の外部とを連通する連通路２ｈが設けられる。連通路２ｈは台部２の下側面に形成され、連通路２ｈの台部２の外部への開口方向は鉛直方向である。したがって、溝部２ｇに水が浸入した場合には連通路２ｈより台部２の外部へと排出される。
【００４７】
つまり、図６に示す配線器具用取付台１では、台部２の前面にはヒケ防止用の溝部２ｇと溝部２ｇと台部２の外部とを連通する連通路２ｈとが設けられており、連通路２ｈの台部２の外部への開口方向は台部２を壁下地１１０に設置した状態で鉛直方向となるので、台部２にヒケが生じることを防止でき、しかもヒケ防止用の溝部２ｇを水などの流体を外部に排出するための通路として兼用するから、簡単な形状で台部の排水性を向上できる。このような連通路２ｈは、台部２を壁下地１１０に設置した状態における台部２の外部への開口方向が水平方向又は水平方向より下向きとなるものであればよい。
【００４８】
なお、本実施形態の配線器具用取付台１は、あくまでも一実施形態であり、本発明の趣旨を逸脱しない範囲で変更することができる。例えば、本実施形態の台部２は、壁下地１１０の前面に垂直投影した外周形状が、台部２に取り付けた配線器具２００を壁下地１１０の前面に垂直投影した外周形状と同形状のものであるが、これに限定されず、台部２に取り付けた配線器具２００を壁下地の前面に垂直投影した外周形状より大きい形状（つまり、台部２は、壁下地１１０の前面に垂直投影した外周形状が、台部２に取り付けた配線器具２００を壁下地１１０の前面に垂直投影した外周形状を内側に含む形）に形成されていてもよい。また、本実施形態の配線器具用取付台１は屋外での使用を想定したものであるが、勿論、屋内で使用されるものであってもよい。
【００４９】
また、本実施形態における配線器具２００は防水コンセントであるが、これは配線器具用取付台１に取り付ける配線器具２００を防水コンセントに限定する趣旨ではない。配線器具用取付台１に取り付ける配線器具２００としては、ＴＶ線や電話線などを屋内に引き込むための防雨入線カバーや、電力線を屋内に引き込むための防雨引込カバー、インターホンや庭園灯などの電力線、弱電線などを屋外に引き出するためのしに防雨形ジョイントボックスなど種々のものが採用できる。
【００５０】
（実施形態２）
本実施形態の配線器具用取付台１は、台部２の構成が実施形態１と異なっており、その他の構成は実施形態１と同様であるから同様の構成については同一の符号を付して説明を省略する。
【００５１】
本実施形態における台部２は、図７（ａ），（ｂ）に示すように、前端部２０および後端部２１の形状が、後端部２１を前端部２０の凹所２０ａ内に収容できる形（つまり凹所２０ａの内周形状が後端部２１の外周形状より大きい形）に形成されている点で実施形態１と異なる。すなわち本実施形態における台部２では、前端部２０の凹所２０ａが他の配線器具用取付台１の後端部２１を収容する収容凹所となる。また、前端部２０の凹所２０ａに他の配線器具用取付台１の後端部２１を収容した場合には、後端部２１が収容された配線器具用取付台（図７（ｂ）における左側の配線器具用取付台）１の前端部２０の外周面と、凹所２０ａに他の配線器具用取付台１の後端部２１を収容した配線器具用取付台（図７（ｂ）における右側の配線器具用取付台）１の前端部２０の外周面とが面一となるように凹所２０ａが形成される。
【００５２】
そのため、本実施形態の配線器具用取付台１は、図７（ａ）に示すように厚み方向に重ねることができる。そして、２つの配線器具用取付台１を重ねた状態においては前端部２０の外周面同士は面一となるから、配線器具用取付台１を重ねて使用する場合と配線器具用取付台１を単独で使用する場合とで、配線器具用取付台１を壁下地１１０の前面に垂直投影した外周形状は同じになる。
【００５３】
本実施形態の配線器具用取付台１を壁下地１１０に設置するにあたっては、壁下地１１０に設ける壁材１２０の厚みに応じて使用する配線器具用取付台１の数を決定する。例えば図７（ａ）に示すように、壁材１２０の厚みが、一つの配線器具用取付台１でも配線器具２００のカバー２４０の後端面２４１を壁材１２０の前端面１２１を含む平面よりも前方に位置させることができる厚みである場合には、配線器具用取付台１を１つ使用する。一方、図７（ｂ）に示すように、壁材１２０の厚みが、一つの配線器具用取付台１では配線器具２００のカバー２４０の後端面２４１を壁材１２０の前端面１２１を含む平面よりも前方に位置させることができない厚みである場合には、配線器具用取付台１を複数重ねて使用する。使用する配線器具用取付台１の数は、少なくとも、配線器具２００のカバー２４０の後端面２４１を壁材１２０の前端面１２１を含む平面よりも前方に位置させることができるような数であればよい（図７（ｂ）に示す例では２つ使用している）。
【００５４】
以上述べた本実施形態の配線器具用取付台１によれば、実施形態１と同様の効果を奏する上に、複数の配線器具用取付台１を厚み方向に重ねる（配線器具用取付台１同士を厚み方向に重ねる）ことができるので、配線器具用取付台１を重ねることで配線器具２００の壁下地１１０の前面から距離を変えることができるから、配線器具２００を壁材１２０の厚みに応じた好適な位置に設置できて、配線器具２００を見栄えよく設置でき、しかも、配線器具用取付台１に配線器具２００を取り付ける際に、壁材１２０が邪魔になることを防止できる。なお、配線器具用取付台１を重ねた際に、前端部２０の外周面同士が面一となる位置に位置決めする嵌合部を台部２に形成するようにしてもよい。このような嵌合部は、配線器具用取付台１の台部２の後面側に、台部２の前面側に設けた突起と凹凸嵌合する孔部を設けることで実現できる。
【００５５】
（実施形態３）
本実施形態の配線器具用取付台１は、図８および図９に示すように、台部２の後面と壁下地１１０の前面との間に介在されるスペーサ５を具備している点で実施形態１と異なる。なお、本実施形態の配線器具用取付台１において実施形態１と同様の構成については同一の符号を付して説明を省略する。
【００５６】
スペーサ５は、台部２の後端部２１の外周形状と同じ外周形状に形成された矩形枠状の本体部６を有する。本体部６の中央に形成された開口部６ａは前端側が後端側より狭口に形成される。この開口部６ａの後端側の内部には防水部４が嵌め込まれる。つまりスペーサ５は本体部６と防水部４とで構成される。
【００５７】
上述したスペーサ５は、台部２の後面側に、後端部２１の外周面とスペーサ５の本体部６の外周面とが面一になる形で配置される。そのためスペーサ５を配置しても、壁下地１１０の前面に垂直投影した台部２の外周形状が変わることはない。
【００５８】
このようにスペーサ５を配置することにより、配線器具用取付台１に配線器具２００を取り付けた際の配線器具２００の壁下地１１０の前面からの距離を調整できる。ここで、スペーサ５の厚みは、配線器具用取付台１に配線器具２００を取り付けた際に、カバー２４０の後端面２４１を壁下地１１０の前面に設けられた壁材１２０の前端面１２１を含む平面よりも前方に位置させることができる厚みのものが採用される。すなわち、スペーサ５は、台部２のみでは、カバー２４０の後端面２４１を壁下地１１０の前面に設けられた壁材１２０の前端面１２１を含む平面よりも前方に位置させることができない場合に使用される。
【００５９】
以上述べた本実施形態の配線器具用取付台１によれば、実施形態１と同様の効果を奏する上に、スペーサ５を取り替える（スペーサ５を厚みの異なるものに取り替える）ことで配線器具２００の壁下地１１０の前面から距離を変えることができるから、全体の厚みを壁材１２０の厚みに応じた好適な値に設定できて、配線器具２００を見栄え良く設置でき、しかも、配線器具用取付台１に配線器具２００を取り付ける際に、壁材１２０が邪魔になることを防止できる。
【００６０】
なお、本実施形態の配線器具用取付台１はスペーサ５を１つだけ備えるが、互いに重ねることが可能な複数のスペーサ５を備えるものであってもよい。つまり、使用するスペーサ５の厚みではなく、使用するスペーサ５の枚数によって配線器具用取付台１全体の厚みを設定できるものでもよい。
【００６１】
（実施形態４）
本実施形態の配線器具用取付台１は、図１０および図１１に示すように、台部２が外形サイズ（壁下地１１０に設置した状態で壁下地１１０に垂直投影した外周形状）が異なる複数の配線器具２００を取り付け可能に構成されている点で実施形態１と異なる。なお、本実施形態の配線器具用取付台１において実施形態１と同様の構成については同一の符号を付して説明を省略する。また、複数の配線器具２００を区別するために必要に応じて図１１（ａ）に示す配線器具２００を符号２００Ａで示し、図１１（ｂ）に示す配線器具２００を符号２００Ｂで示す。
【００６２】
ここで、配線器具２００Ａは図１（ｂ）に示す配線器具２００と同様の防水コンセントであり、その外周形状は、例えば縦方向の寸法が１２６ｍｍ、横方向の寸法が８７ｍｍの長方形状である。一方、配線器具２００Ｂは、ＴＶ線や電話線などを屋内に引き込むための防雨入線カバーであり、壁下地１１０の電線貫挿孔１１１に貫挿する電線を通す通路部（図示せず）が形成された図示しないハウジング（器具本体）と、ハウジングに対して上下方向にスライドさせることで結合されるカバー２４０とを備える。この配線器具２００Ｂの外周形状は、例えば縦方向の寸法が１４０ｍｍ、横方向の寸法が９３ｍｍの長方形状である。ここで、配線器具２００Ａのハウジング２２０および配線器具２００Ｂのハウジングそれぞれには、固定ねじ（図示せず）用の一対のねじ挿通孔（図示せず）が形成され、一対のねじ挿通孔間の間隔は配線器具２００Ａ，２００Ｂにおいて等しく設定される。
【００６３】
本実施形態における台部２は実施形態１と同様に絶縁性を有する樹脂材料を用いて形成した樹脂成形品であり、長方形の板状（矩形板状）に形成される。本実施形態における台部２は壁下地１１０の前面に垂直投影した外周形状が、図１１（ｂ）に示す配線器具２００Ｂの外周形状と同じ形に形成される。
【００６４】
つまり、本実施形態における台部２の外周形状は、配線器具２００Ｂと同じく、１４０ｍｍ（縦方向の寸法）×９３ｍｍ（横方向の寸法）の長方形状である。したがって、本実施形態の配線器具用取付台１は壁下地１１０の前面に垂直投影した外周形状が、配線器具２００Ａ，２００Ｂを壁下地１１０の前面に垂直投影した外周形状を含む形状に形成されている。なお、本実施形態の配線器具用取付台１は、台部２が長方形の板状に形成されているから、厚み方向に重ねることができる。そのため、配線器具用取付台１を壁下地１１０に設置するにあたっては、使用する壁材１２０の厚みに合わせて（配線器具２００のカバー２４０の後端面２４１が使用する壁材１２０の前端面１２１を含む平面よりも前方に位置するように）使用する数が設定される。なお、図１０，１１では配線器具用取付台１を２つ重ねた状態を図示している。
【００６５】
また、本実施形態における台部２には、実施形態１と同様に、１つの挿通孔２ａと、４つの取付孔２ｂおよび収容凹部２ｃと、内側にナット３が配置される２つの孔部２ｄと、防水用リブ２ｅとが形成される。これに加えて本実施形態における台部２の前面には、配線器具２００Ａを上記取付部に対する規定位置（配線器具２００Ａの一対のねじ挿通孔が一対の孔部２ｄと連通する位置）に位置決めする位置決めリブ２ｉが形成される。この位置決めリブ２ｉは、配線器具２００Ａを上記規定位置に配置した際に、台部２の幅方向両側および上側において配線器具２００Ａのハウジング２２０の外周面と当接するコ字形に形成される。
【００６６】
したがって、本実施形態の配線器具用取付台１に配線器具２００Ａを取り付けるにあたっては、配線器具２００Ａのハウジング２２０の外周面を位置決めリブ２ｉに当接させることで上記規定位置に配置してから、ねじ挿通孔を通して固定ねじを孔部２ｄ内のナット３に螺着し、その後にハウジング２２０にカバー２４０を結合する。
【００６７】
一方、本実施形態の配線器具用取付台１に配線器具２００Ｂを取り付けるにあたっては、配線器具２００Ｂのハウジングをその外周面が台部２の外周面と略面一となる形に配置してから、ねじ挿通孔を通して固定ねじを孔部２ｄ内のナット３に螺着し、その後に配線器具２００Ｂのハウジングにカバー２４０を結合する。
【００６８】
以上述べた本実施形態の配線器具用取付台１によれば、壁下地１１０の前面に垂直投影した台部２の外周形状が、台部２に取り付けた配線器具２００を壁下地１１０の前面に垂直投影した外周形状と同形状であるので、壁下地１１０に壁材１２０を設けるとき、あるいはその前に壁下地１１０に配線器具用取付台１を設置することにより、壁下地１１０において壁材１２０を設けない場所を明確にすることができるから、配線器具２００取り付け用のスペースを容易に確保することができる。さらに、本実施形態の配線器具用取付台１には、台部２に取り付けた状態で壁下地１１０の前面に垂直投影した外周形状が異なる配線器具２００を取り付けることができるから、配線器具２００毎に規格が異なる配線器具用取付台１を使用しなくて済むようになり、配線器具用取付台１の汎用性を高めることができる。
【００６９】
なお、本実施形態では、配線器具２００Ａ，２００Ｂにおいて一対のねじ挿通孔間の間隔が等しいから、一の取付部によって、配線器具２００Ａ，２００Ｂの両方を台部２に取り付けることができるが、台部２には、複数の配線器具２００それぞれに対応する取付部が設けられていてもよい。
【図面の簡単な説明】
【００７０】
【図１】実施形態１の配線器具用取付台を示し、（ａ）は前面図、（ｂ）は施工状態を示す断面図である。
【図２】同上の配線器具用取付台の分解斜視図である。
【図３】同上の配線器具用取付台を示し、（ａ）は前面側から見た斜視図、（ｂ）は後面側から見た斜視図である。
【図４】（ａ）は同上の配線器具用取付台の施工状態を示す説明図、（ｂ）は比較例の配線器具用取付台の施工状態を示す説明図である。
【図５】実施形態１の配線器具用取付台の施工状態を示す説明図である。
【図６】同上の配線器具用取付台の変形例の前面図である。
【図７】実施形態２の配線器具用取付台の施工状態を示す断面図である。
【図８】実施形態３の配線器具用取付台の施工状態を示す断面図である。
【図９】同上の配線器具用取付台の後面側から見た斜視図である。
【図１０】実施形態４の配線器具用取付台の前面側から見た斜視図である。
【図１１】同上の配線器具用取付台に配線器具を取り付けた状態の前面側から見た斜視図である。
【図１２】従来の施工方法の説明図である。
【符号の説明】
【００７１】
１    配線器具用取付台
２    台部
２ａ  挿通孔
２ｂ  取付孔
２ｃ  収容凹部
２ｅ  防水用リブ（リブ）
２ｇ  溝部
２ｈ  連通路
２ｉ  位置決めリブ
５    スペーサ
２０    前端部
２０ａ  凹所（収容凹所）
２１    後端部
１１０    壁下地
１１１    電線貫挿孔
２００    配線器具
２２０    ハウジング（器具本体）
２４０    カバー
【図１】
2009178010.tif 000003
【図２】
2009178010.tif 000004
【図３】
2009178010.tif 000005
【図４】
2009178010.tif 000006
【図５】
2009178010.tif 000007
【図６】
2009178010.tif 000008
【図７】
2009178010.tif 000009
【図８】
2009178010.tif 000010
【図９】
2009178010.tif 000011
【図１０】
2009178010.tif 000012
【図１１】
2009178010.tif 000013
【図１２】
2009178010.tif 000014